(57)【要約】【課題】  撮影時において、撮影画像に撮影効果を容易かつ適確に付加することができることを目的とする。【解決手段】  複数の撮影効果を一まとまりの情報として表した撮影効果シーケンスと実際に行われている撮影との同期をとりながら、前記複数の撮影効果を撮影効果シーケンスに従って表示手段２０７に順次表示させるとともに、撮影効果を付加する時間が近づくと前記表示手段２０７上の表示を変更することにより、撮影効果シーケンスに記述されている撮影効果を付加するタイミングを、ユーザに特に注意をするように強いることなく通知できるようにして、撮影効果を付加しない通常の撮影を行う時にはその撮影に集中することができるとともに、撮影効果を付加する時には付加するためのタイミングのみに神経を集中することができるようにする。【選択図】      図２
2004336728.tif 000002
【特許請求の範囲】
【請求項１】
複数の撮影効果の中から選択された任意の撮影効果を撮影画像に付加するための記録装置であって、
前記複数の撮影効果を一まとまりの情報として表した撮影効果シーケンスと実際に行われている撮影との同期をとりながら、前記複数の撮影効果を前記撮影効果シーケンスに従って表示手段に順次表示させるとともに、前記撮影効果シーケンスによって設定された撮影効果を付加する時間が近づくと前記表示手段上の表示を変更することを特徴とする記録装置。
【請求項２】
被写体を撮影して撮影画像を生成する撮像手段と、使用者の操作を受け付ける操作手段と、複数の撮影効果をその直前の撮影効果からの相対時間の情報とともに記述した撮影効果シーケンスを記録しておくための撮影効果シーケンス情報記憶手段と、前記撮影効果シーケンス情報記憶手段に記録された撮影効果シーケンスに応じて前記複数の撮影効果を表示手段上に視覚的に順次表示する表示データ制御手段と、前記操作手段により受け付けた使用者の操作に応じた撮影効果を撮像信号に対して付加する効果付加手段とを有する記録装置であって、
前記撮像手段は、前記操作手段を介して行われる特定の操作毎に前記撮影効果シーケンスに記録されている撮影効果を順次付加しながら撮影を行うとともに、前記表示データ制御手段は前記撮影効果を付加する時間が近づくと前記表示手段上の表示内容を変更することを特徴とする記録装置。
【請求項３】
被写体を撮影して撮影画像を生成する撮像手段と、使用者の操作を受け付ける操作手段と、複数の撮影効果をその直前の撮影効果からの相対時間の情報とともに記述した撮影効果シーケンスを、前記撮影効果シーケンスが何処まで実行されたかを示す実行位置情報と関連付けて記録しておくための撮影効果シーケンス情報記憶手段と、前記撮影効果シーケンス情報記憶手段に記録された撮影効果シーケンスに応じて前記複数の撮影効果を順次表示手段上に視覚的に表示する表示データ制御手段と、前記操作手段により受け付けた使用者の操作に応じた撮影効果を撮像信号に対して付加する効果付加手段と、前記直前の撮影効果を付加した時間からの経過時間を計測するための時間計測手段と、前記撮影効果シーケンスが何処まで実行されたかを示す実行位置情報を前記撮影効果シーケンス情報記憶手段に記録する実行位置情報記録手段とを有する記録装置であって、
前記操作手段を使用者が操作することにより電源が再投入された時に、前記撮影効果シーケンス情報記憶手段に記録されている実行位置情報に基づいて前記撮影効果シーケンスを再開するように制御する処理制御手段を有することを特徴とする記録装置。
【請求項４】
前記表示データ制御手段は、前記撮影効果シーケンスが実行途中であり、かつ、次の撮影効果を付加する時間が近づいた場合には、電源が切断された状態であっても、前記使用者に対して次の操作が近づいていることを前記表示手段上に通知することを特徴とする請求項２または３に記載の記録装置。
【請求項５】
前記撮影効果シーケンスは、前記撮影効果を付加する順番、及び前記順番毎の撮影効果を付加する順序が一まとまりの情報として記述されていることを特徴とする請求項１〜４の何れか１項に記載の記録装置。
【請求項６】
前記効果付加手段は、前記操作手段により受け付けた使用者の操作に応じて、前記撮影効果シーケンスを前後にスキップすることを特徴とする請求項２〜５の何れか１項に記載の記録装置。
【請求項７】
前記撮影効果を付加する撮影場面のシチュエーションをコメント情報として前記撮影効果シーケンスに記録するコメント情報記録手段を有することを特徴とする請求項２〜６の何れか１項に記載の記録装置。
【請求項８】
前記作成した撮影効果シーケンスを他の記録装置でも利用可能に記録する記憶媒体を装着可能であることを特徴とする請求項１〜７の何れか１項に記載の記録装置。
【請求項９】
映像信号に対して映像効果処理を施す効果処理手段と、
前記効果処理手段により映像効果処理が施された映像信号を記録する記録手段と、
複数種の映像効果と前記各映像効果の実行タイミングとを示すシーケンス情報に基づいて前記効果処理手段による処理を制御するとともに、前記映像信号の記録経過時間と前記シーケンス情報にて指定された各映像効果の実行タイミングとに基づき、前記映像効果を示す情報を表示手段に表示する制御を行う表示データ制御手段とを有することを特徴とする記録装置。
【請求項１０】
前記表示データ制御手段は、前記映像効果の実行の指示に応じて前記表示手段にて表示中の情報に応じた映像効果を施すように前記効果処理手段を制御することを特徴とする請求項９に記載の記録装置。
【請求項１１】
前記表示データ制御手段は更に、前記記録経過時間に最も近い実行タイミングの映像効果と、この映像効果の前後に指定された映像効果の情報とを前記表示手段に表示することを特徴とする請求項９に記載の記録装置。
【請求項１２】
被写体を撮影して撮影画像データを生成する撮像手段と、
前記撮像手段により生成された撮影画像データを記録する撮影画像データ記録手段と、
使用者の操作を受け付ける操作手段と、
複数の付加効果を付加する順番で記述した付加効果シーケンス、及び前記操作手段を介して入力される使用者の操作内容に応じて再生時に付加する効果の種類とタイミングとを記述した再生効果シーケンスを記憶しておく効果シーケンス情報記憶手段とを有し、
前記操作手段を介して入力される特定操作に応じて、前記付加効果シーケンスに記述されている付加効果の種類と、前記特定操作によって決定された付加タイミングを記述した再生効果シーケンスを作成して前記効果シーケンス情報記憶手段に記憶しておき、再生時には前記再生効果シーケンスに沿って再生効果を付加しながら前記撮影画像データ記録手段に記憶されている撮影画像データを再生することを特徴とする記録再生編集装置。
【請求項１３】
前記効果シーケンス情報記憶手段は、前記付加効果シーケンスと、前記付加効果シーケンスの実行位置情報とを関連付けて記憶することが可能に構成され、電源再投入時には、前記効果シーケンス情報記憶手段に記録された前記実行位置情報から前記付加効果シーケンスを再開するとともに、該当する付加効果シーケンスと関連付けられた再生効果シーケンスに続けて、付加する効果とタイミングとを記述することを特徴とする請求項１２に記載の記録再生編集装置。
【請求項１４】
撮影中の画像に効果を付加して視覚的に表示手段に表示するように制御する表示データ制御手段を有し、
前記表示データ制御手段は、前記操作手段により行われる特定操作のタイミングで、前記付加効果シーケンスに記録されている付加効果を撮影中の画像データに付加して前記表示手段に表示するように制御することを特徴とする請求項１２または１３に記載の記録再生編集装置。
【請求項１５】
前記付加効果シーケンスは、効果を付加する順番で記述するか、効果を付加する順番を記述することを特徴とする請求項１２〜１４の何れか１項に記載の記録再生編集装置。
【請求項１６】
前記付加効果シーケンスの内容を前後にスキップするスキップ手段を有し、
前記スキップ手段は、前記付加効果シーケンスの内容を、前記操作手段を介して入力される使用者の操作内容に応じて所定の位置にスキップさせることを特徴とする請求項１２〜１５の何れか１項に記載の記録再生編集装置。
【請求項１７】
前記撮影効果を付加する撮影場面のシチュエーションをコメント情報として前記撮影効果シーケンスに記録するコメント情報記録手段を有することを特徴とする請求項１２〜１６の何れか１項に記載の記録再生編集装置。
【請求項１８】
前記撮影効果シーケンスを他の記録装置でも利用可能に記録する記憶媒体を装着可能であることを特徴とする請求項１２〜１７の何れか１項に記載の記録再生編集装置。
【請求項１９】
前記再生効果シーケンスを、撮影した画像データを記憶した記憶媒体に記録可能としてことを特徴とする請求項１２〜１８の何れか１項に記載の記録再生編集装置。
【請求項２０】
再生効果の付加タイミング決定に失敗した時は、前記操作手段の操作に応じて前記付加効果シーケンスの効果付加タイミングの決定に失敗した位置を前記効果シーケンス情報記憶手段にて記憶する失敗位置記憶手段を有し、
前記効果付加タイミングの決定に失敗した位置を、撮影終了後に検索及び再編集可能に構成されていることを特徴とする請求項１２〜１９の何れか１項に記載の記録再生編集装置。
【請求項２１】
前記再生効果シーケンスは、前記付加効果シーケンスにタイミングを記録することで作成されていることを特徴とする請求項１２〜２０の何れか１項に記載の記録再生編集装置。
【請求項２２】
使用者の操作を受け付ける操作処理と、複数の撮影効果をその直前の撮影効果からの相対時間の情報とともに記述した撮影効果シーケンスを記憶媒体に記録しておくための撮影効果シーケンス情報記憶処理と、前記撮影効果シーケンス情報記憶処理により前記記憶媒体に記録された撮影効果シーケンスに応じて前記複数の撮影効果を順次表示手段上に視覚的に表示する表示データ制御処理と、前記操作処理により受け付けた使用者の操作に応じた撮影効果を撮像信号に対して付加する効果付加処理とを有する記録方法であって、
前記操作処理における特定の操作毎に前記撮影効果シーケンスに記録されている撮影効果を順次付加しながら撮影を行うとともに、前記表示データ制御処理は前記撮影効果を付加する時間が近づくと表示内容を変更する表示内容変更処理を有することを特徴とする記録方法。
【請求項２３】
使用者の操作を受け付ける操作処理と、
複数の付加効果を付加する順番で記述した付加効果シーケンス、及び使用者の操作に応じて再生時に付加する効果の種類とタイミングとを記述した再生効果シーケンスを記憶しておく効果シーケンス情報記憶処理と、
前記操作処理により行われる特定操作に応じて、記録を実行する前に作成されて前記効果シーケンス情報記憶処理に記憶されている前記付加効果シーケンスに記述されている付加効果の種類と、前記特定操作によって決定された付加タイミングを記述した再生効果シーケンスを記録時に作成する再生効果シーケンス作成処理と、
前記再生効果シーケンスに沿って再生効果を付加しながら画像を再生する画像再生処理とを有することを特徴とする記録再生編集方法。
【請求項２４】
使用者の操作を受け付ける操作処理と、複数の撮影効果をその直前の撮影効果からの相対時間の情報とともに記述した撮影効果シーケンスを記憶媒体に記録しておくための撮影効果シーケンス情報記憶処理と、前記撮影効果シーケンス情報記憶処理により前記記憶媒体に記録された撮影効果シーケンスに応じて前記複数の撮影効果を順次表示手段上に視覚的に表示する表示データ制御処理と、前記操作処理により受け付けた使用者の操作に応じた撮影効果を撮像信号に対して付加する効果付加処理とを有する記録方法をコンピュータに実行させるためのプログラムであって、前記操作処理における特定の操作毎に前記撮影効果シーケンスに記録されている撮影効果を順次付加しながら撮影を行うとともに、前記表示データ制御処理では前記撮影効果を付加する時間が近づくと表示内容を変更させる処理をコンピュータに実行させることを特徴とするコンピュータプログラム。
【請求項２５】
使用者の操作を受け付ける操作処理と、
複数の付加効果を付加する順番で記述した付加効果シーケンス、及び使用者の操作に応じて再生時に付加する効果の種類とタイミングとを記述した再生効果シーケンスを記憶しておく効果シーケンス情報記憶処理と、
前記操作処理により行われる特定操作に応じて、記録を実行する前に作成されて前記効果シーケンス情報記憶処理に記憶されている前記付加効果シーケンスに記述されている付加効果の種類と、前記特定操作によって決定された付加タイミングを記述した再生効果シーケンスを記録時に作成する再生効果シーケンス作成処理と、
前記再生効果シーケンスに沿って再生効果を付加しながら画像を再生する画像再生処理とを有する記録再生編集方法をコンピュータに実行させることを特徴とするコンピュータプログラム。
【請求項２６】
前記実施形態２４または２５に記載のプログラムを記録したことを特徴とするコンピュータ読み取り可能な記録媒体。
【発明の詳細な説明】
【技術分野】
【０００１】
本発明は記録装置、記録再生編集装置、記録方法、記録再生編集方法、コンピュータプログラム及び記録媒体に関し、特に、ある程度決まった進行手順に従って撮影対象を撮影する場合に、リアルタイムで撮影効果を付加するための撮影効果シーケンスを実行するために用いて好適なものである。
【背景技術】
【０００２】
従来、ディジタルビデオカメラ等の記録再生編集装置には、撮影中に定型タイトル文字の挿入や、色調変更等を行う撮影効果付加機能が付いている。しかし、撮影中に撮影効果を付加する場合には、割り当てられた複数の操作ボタン等のユーザインターフェイスを介して、ユーザが撮影中に撮影効果を選択、実行する必要があり、初心者ならず、熟練者でもすばやい操作が困難であるという問題があった。
【０００３】
このような問題を解決するために、特許文献１や特許文献２では、付加する撮影効果を予め設定しておく撮影効果リストを作成し、設定しておいた撮影効果を表示し、表示している撮影効果の中からユーザの選択で撮影効果を実行するという方法が提案されている。
【０００４】
【特許文献１】特開２０００−１５２０３９号公報
【特許文献２】特開２００２−１５２５９１号公報
【発明の開示】
【発明が解決しようとする課題】
【０００５】
しかしながら、前記特許文献１で提案されているような、前記撮影効果リストの中から所望する撮影効果を撮影中に選択するという方法では、所望する撮影効果を抽出する操作を撮影中に行う必要があった。従来の抽出操作は、ユーザが撮影効果を選択して決定するという２ステップの動作が必要であった。このため、第１の問題点として、撮影効果を実行するために撮影中にユーザが行わなければならない操作が依然として単純または容易でないという問題があった。
【０００６】
また、前記撮影効果リストには種々の撮影効果を予め設定しておくが、撮影中のどのタイミングで何れの撮影効果を実行するのかを各ユーザ自身が記憶しておく必要があった。このため、第２の問題点として、撮影効果リストを作成した者以外のユーザにとっては非常に使い辛いという問題があった。
【０００７】
また、前記の特許文献１または２にて提案されている方法では、撮影中のユーザにとって選択操作に加えて、決定操作という２ステップの動作が必要となり、撮影中に行う操作としては決して容易なものではなかった。それに加えて、従来は撮影データ自体に効果が付加されるので、効果を付加するタイミングが間違った場合はやり直しができないという問題があった。
【０００８】
本発明は前述した問題点に鑑みてなされたもので、撮影効果を撮影中に容易に実行できるようにするとともに、撮影効果が設定された撮影効果リストを使い易くすることを第１の目的とする。
また、再生時に付加する効果を撮影中に指定する方法、及び撮影中に指定した再生効果を撮影後に容易に変更することができるようにすることを第２の目的とする。
【課題を解決するための手段】
【０００９】
本発明の記録装置は、複数の撮影効果の中から選択された任意の撮影効果を撮影画像に付加するための記録装置であって、前記複数の撮影効果を一まとまりの情報として表した撮影効果シーケンスと実際に行われている撮影との同期をとりながら、前記複数の撮影効果を前記撮影効果シーケンスに従って表示手段に順次表示させるとともに、前記撮影効果シーケンスによって設定された撮影効果を付加する時間が近づくと前記表示手段上の表示を変更することを特徴としている。
また、本発明の他の特徴とするところは、被写体を撮影して撮影画像を生成する撮像手段と、使用者の操作を受け付ける操作手段と、複数の撮影効果をその直前の撮影効果からの相対時間の情報とともに記述した撮影効果シーケンスを記録しておくための撮影効果シーケンス情報記憶手段と、前記撮影効果シーケンス情報記憶手段に記録された撮影効果シーケンスに応じて前記複数の撮影効果を表示手段上に視覚的に順次表示する表示データ制御手段と、前記操作手段により受け付けた使用者の操作に応じた撮影効果を撮像信号に対して付加する効果付加手段とを有する記録装置であって、前記撮像手段は、前記操作手段を介して行われる特定の操作毎に前記撮影効果シーケンスに記録されている撮影効果を順次付加しながら撮影を行うとともに、前記表示データ制御手段は前記撮影効果を付加する時間が近づくと前記表示手段上の表示内容を変更することを特徴としている。
また、本発明の他の特徴とするところは、被写体を撮影して撮影画像を生成する撮像手段と、使用者の操作を受け付ける操作手段と、複数の撮影効果をその直前の撮影効果からの相対時間の情報とともに記述した撮影効果シーケンスを、前記撮影効果シーケンスが何処まで実行されたかを示す実行位置情報と関連付けて記録しておくための撮影効果シーケンス情報記憶手段と、前記撮影効果シーケンス情報記憶手段に記録された撮影効果シーケンスに応じて前記複数の撮影効果を順次表示手段上に視覚的に表示する表示データ制御手段と、前記操作手段により受け付けた使用者の操作に応じた撮影効果を撮像信号に対して付加する効果付加手段と、前記直前の撮影効果を付加した時間からの経過時間を計測するための時間計測手段と、前記撮影効果シーケンスが何処まで実行されたかを示す実行位置情報を前記撮影効果シーケンス情報記憶手段に記録する実行位置情報記録手段とを有する記録装置であって、前記操作手段を使用者が操作することにより電源が再投入された時に、前記撮影効果シーケンス情報記憶手段に記録されている実行位置情報に基づいて前記撮影効果シーケンスを再開するように制御する処理制御手段を有することを特徴としている。
【００１０】
本発明の記録再生編集装置は、被写体を撮影して撮影画像データを生成する撮像手段と、前記撮像手段により生成された撮影画像データを記録する撮影画像データ記録手段と、使用者の操作を受け付ける操作手段と、複数の付加効果を付加する順番で記述した付加効果シーケンス、及び前記操作手段を介して入力される使用者の操作内容に応じて再生時に付加する効果の種類とタイミングとを記述した再生効果シーケンスを記憶しておく効果シーケンス情報記憶手段とを有し、前記操作手段を介して入力される特定操作に応じて、前記付加効果シーケンスに記述されている付加効果の種類と、前記特定操作によって決定された付加タイミングを記述した再生効果シーケンスを作成して前記効果シーケンス情報記憶手段に記憶しておき、再生時には前記再生効果シーケンスに沿って再生効果を付加しながら前記撮影画像データ記録手段に記憶されている撮影画像データを再生することを特徴としている。
【００１１】
本発明の記録方法は、使用者の操作を受け付ける操作処理と、複数の撮影効果をその直前の撮影効果からの相対時間の情報とともに記述した撮影効果シーケンスを記憶媒体に記録しておくための撮影効果シーケンス情報記憶処理と、前記撮影効果シーケンス情報記憶処理により前記記憶媒体に記録された撮影効果シーケンスに応じて前記複数の撮影効果を順次表示手段上に視覚的に表示する表示データ制御処理と、前記操作処理により受け付けた使用者の操作に応じた撮影効果を撮像信号に対して付加する効果付加処理とを有する記録方法であって、前記操作処理における特定の操作毎に前記撮影効果シーケンスに記録されている撮影効果を順次付加しながら撮影を行うとともに、前記表示データ制御処理は前記撮影効果を付加する時間が近づくと表示内容を変更する表示内容変更処理を有することを特徴としている。
【００１２】
本発明の記録再生編集方法は、使用者の操作を受け付ける操作処理と、複数の付加効果を付加する順番で記述した付加効果シーケンス、及び使用者の操作に応じて再生時に付加する効果の種類とタイミングとを記述した再生効果シーケンスを記憶しておく効果シーケンス情報記憶処理と、前記操作処理により行われる特定操作に応じて、記録を実行する前に作成されて前記効果シーケンス情報記憶処理に記憶されている前記付加効果シーケンスに記述されている付加効果の種類と、前記特定操作によって決定された付加タイミングを記述した再生効果シーケンスを記録時に作成する再生効果シーケンス作成処理と、前記再生効果シーケンスに沿って再生効果を付加しながら画像を再生する画像再生処理とを有することを特徴としている。
【００１３】
本発明のコンピュータプログラムは、使用者の操作を受け付ける操作処理と、複数の撮影効果をその直前の撮影効果からの相対時間の情報とともに記述した撮影効果シーケンスを記憶媒体に記録しておくための撮影効果シーケンス情報記憶処理と、前記撮影効果シーケンス情報記憶処理により前記記憶媒体に記録された撮影効果シーケンスに応じて前記複数の撮影効果を順次表示手段上に視覚的に表示する表示データ制御処理と、前記操作処理により受け付けた使用者の操作に応じた撮影効果を撮像信号に対して付加する効果付加処理とを有する記録方法をコンピュータに実行させるためのプログラムであって、前記操作処理における特定の操作毎に前記撮影効果シーケンスに記録されている撮影効果を順次付加しながら撮影を行うとともに、前記表示データ制御処理では前記撮影効果を付加する時間が近づくと表示内容を変更させる処理をコンピュータに実行させることを特徴としている。
また、本発明の他の特徴とするところは、使用者の操作を受け付ける操作処理と、複数の付加効果を付加する順番で記述した付加効果シーケンス、及び使用者の操作に応じて再生時に付加する効果の種類とタイミングとを記述した再生効果シーケンスを記憶しておく効果シーケンス情報記憶処理と、前記操作処理により行われる特定操作に応じて、記録を実行する前に作成されて前記効果シーケンス情報記憶処理に記憶されている前記付加効果シーケンスに記述されている付加効果の種類と、前記特定操作によって決定された付加タイミングを記述した再生効果シーケンスを記録時に作成する再生効果シーケンス作成処理と、前記再生効果シーケンスに沿って再生効果を付加しながら画像を再生する画像再生処理とを有する記録再生編集方法をコンピュータに実行させることを特徴としている。
【００１４】
本発明の記録媒体は、前記に記載のプログラムをコンピュータ読み取り可能に記録したことを特徴としている。
【発明の効果】
【００１５】
本発明によれば、複数の撮影効果を一まとまりの情報として表した撮影効果シーケンスと実際に行われている撮影との同期をとりながら、前記複数の撮影効果を撮影効果シーケンスに従って表示画面上に順次表示させるとともに、撮影効果を付加する時間が近づくと前記表示画面上の表示を変更するように構成したので、前記撮影効果シーケンスに記述されている指定の時刻になったタイミングで撮影効果を付加することをユーザに通知することが可能となり、撮影効果を付加しない通常の撮影を行う時にはユーザはその撮影に集中するようにすることができるとともに、撮影効果を付加する時にはその付加のタイミングのみに神経を集中させるようにすることができる。これにより、撮影時に撮影効果を付加する操作を行うことが容易となり、撮影効果シーケンスを効率的に、且つ正確に実行するようにすることができる。
また、前記撮影効果シーケンスに従って撮影効果を実行するタイミングをユーザに表示するようにしたので、ユーザ自身が撮影効果の実行タイミングを記憶しておく必要がなくなり、特定のユーザ以外のユーザに対して使い易い記録装置を提供することができる。
【００１６】
更に、付加効果シーケンスを予め作成しておき、撮像時は前記付加効果シーケンスに沿った効果の付加のタイミングをユーザ操作で決定するようにするとともに、記録する画像データには効果を付加せずに、撮像時に決定した効果付加の種類やタイミングをもとに再生効果シーケンスを作成し、再生時には前記再生効果シーケンスに沿って再生を行ようにしたので、撮影時に効果を付加することに万一失敗しても、記録する画像データには効果を付加していないので、前記再生効果シーケンスを編集することによって再生時に付加する効果の種類やタイミングの修正を行うことができる。
また、本発明の他の特徴によれば、付加効果シーケンスと再生効果シーケンスの中断個所とを記憶しておくようにしたので、撮像中に記録を中断した後で再開した場合にも付加効果シーケンスの続きから再開することができ、再生効果シーケンスの続きとして作成することができる。
また、本発明のその他の特徴によれば、記録中には付加効果を実際に付加した画像を表示装置に表示するようにしたので、効果付加の成否がその場で判断でき、効果付加の失敗が撮像中に判断できる。
また、本発明のその他の特徴によれば、撮像中に効果付加の失敗に気づいた場合には、ユーザ操作によって再生効果シーケンス情報として記憶しておくようにしたので、撮影終了後に検索および再編集する際に、再生効果シーケンスの再生効果付加の失敗位置を効率良く探すことができる。
【発明を実施するための最良の形態】
【００１７】
次に、本発明の記録装置、記録再生編集装置、記録方法、記録再生編集方法、コンピュータプログラム及び記録媒体の実施の形態を説明する。
最初に、本発明の記録装置の概略構成を説明する。
例えば、撮影時に付加しようとする複数の撮影効果を一まとまりとして記述した撮影効果シーケンスを予め作成しておく。そして、前記撮影効果シーケンスを撮影中に実行するときは、実際の撮影と同期させながら、前記撮影効果シーケンスに対応した撮影効果が表示装置に順次表示されるようにする。
【００１８】
つまり、ユーザがボタン押下等を行うタイミングで撮影効果が付加されるとともに、現在の撮影効果の表示を次の撮影効果の表示に順次変更させるようにする。このようにすることにより、ユーザは撮影効果の実行を１アクションによる選択動作で行うことが可能となり、前記第１の問題点を解決することができる。
【００１９】
また、撮影効果シーケンスを設定する際には、直前の撮影効果からの相対時間（直前の撮影効果と今回の撮影効果との時間間隔）や、撮影効果を付加するときのシチュエーションの説明をコメント情報として設定しておくようにして、撮影効果を付加するタイミングをユーザが容易に判断できるようにする。
【００２０】
そして、設定されたタイミングが近づいたら、撮影効果シーケンスの設定内容に応じて表示状態を変更し、次の撮影効果を付加するタイミングが近づいていることをユーザに通知するようにしている。これにより、撮影効果の実行タイミングをユーザ自身が記憶しておく必要がなくなり、前記第２の問題点を解決することができる。
【００２１】
また、従来のディジタルビデオカメラによって撮影効果を実行する場合、撮影を一時中断した後にその撮影を再開する際に、前記撮影効果リストの何処まで実行したのかについてはユーザの記憶に頼らざるを得ないという問題があった。
【００２２】
前記問題に対して、本発明の記録装置は、撮影効果シーケンスを何処まで実行したかをマーク（記憶）しておき、中断した撮影を再開したような場合には、前記マークした位置から再びスタートするように構成するようにした。これにより、ユーザはその撮影最中において撮影効果を付加するタイミングのみに神経を集中することが可能となり、撮影効果を付加する操作を容易かつ適確なタイミングで実行でき、前記問題を解決することができる。
【００２３】
また、作成済みの撮影効果シーケンスをテンプレート化することで、前記作成した撮影効果シーケンスを別の撮影時に使いまわすことが容易になる。さらに、撮影を中断しても、その撮影効果シーケンスの続きから撮影を確実に再開することができる。
【００２４】
以下、本発明の記録装置の実施の形態について、図面を参照しながら詳細に説明する。
【００２５】
（第１の実施の形態）
図１は、本発明の記録装置に係る第１の実施の形態を示し、記録装置１０の全体を示す外観図である。図１（ａ）は記録装置１０を保持するためのグリップ側から見た斜視図であり、図１（ｂ）は前記グリップ側と反対の側面に取り付けられたＬＣＤユニット側から見た記録装置１０の斜視図である。
【００２６】
１０１は、記録装置１０の実質的な装置本体部分であり、後述する図２に示す機能を有している。
１０２は、ワイド撮影またはテレ撮影に切り換えるためのズームスイッチである。このズームスイッチ１０２を撮影者の操作によってＷ側に移動させるとワイド撮影となり、Ｔ側に移動させるとテレ撮影となる。
【００２７】
１０３は、被写体からの可視光を収集するレンズ等により構成されたレンズユニットである。
１０４は、記録装置１０を保持する撮影者の手の甲をベルトによって押さえるためのリストストラップである。
１０５は、小型ＬＣＤ及び拡大用レンズを内蔵したビューファインダであり、撮影者が被写体を確認するためのものである。すなわち、撮影者がビューファインダ１０５に目を近づけることによって、被写体の映像を確認することができる。
【００２８】
１０７は、撮影動作モードを切り換える操作スイッチとしてのモードダイアルである。図１（ａ）及び図１（ｂ）に示すように、右方向へ突出したモードダイアル１０７の柄の部分を回転させることにより、例えば、（１）電源ＯＦＦ、（２）ＶＴＲ、（３）ＣＡＭＥＲＡ、（４）ＰＨＯＴＯ、（５）ＰＲＯＧＲＥＳＳＩＶＥ  ＳＣＡＮ（プログレッシブスキャン）、（６）編集、及び（７）撮影効果シーケンス記録、の合計７つのモードの何れかのモードへ切り換えることができる。
【００２９】
ここで、前記（４）ＰＨＯＴＯモードとは、撮影したスチル映像（静止画像）を記憶媒体へ記録するモードである。
前記（５）ＰＲＯＧＲＥＳＳＩＶＥ  ＳＣＡＮモードとはノンインターレースとも呼ばれており、動画像における各フレームを高画質で録画するモードである。インターレースのように１ラスタ行おきに走査するのではなく、１回で全てのラスタ行の走査を行う。このため、前記ＰＲＯＧＲＥＳＳＩＶＥ  ＳＣＡＮモードは、動画像の１フレーム画を高画質の静止画像として切り出すときに主に使用される。
【００３０】
前記（６）編集モードとは、撮影効果シーケンスの編集を行うモードである。前記（７）撮影効果シーケンス記録モードとは、作成済みの撮影効果シーケンスに従って撮影を行うためのモードである。
【００３１】
１０６は、モードダイアル１０７のモード状態を固定するためのポジションロックツマミであり、ロックを解除しない限り現在のモードが維持される。
１０８は、録画の開始または停止を行うためのスタート／ストップボタンである。
１０９は、モードダイアル１０７のロックを解除するためのアンロックツマミ（アンロック部材）である。
１１０はモードダイヤルベース、１１１は撮影者が撮影画像を大きな画面で確認するためのＬＣＤユニットである。
【００３２】
また、１１０はモードダイヤルベース、１１２は撮影者の撮影操作を簡易にする十字ボタンであり、１１３は撮影者の意思決定を確認するためのＯＫボタンであり、１１４は撮影者の意思決定の取消を行うＣＡＮＣＥＬボタンである。また、１１５は装置本体部分１０１の動作及び内部処理を撮影者へ視覚的に通知するＬＥＤである。
【００３３】
なお、実際の記録装置１０は、前記図１に示した構成に加えて、例えば、絞り、シャッタ、及び測距システム（以上、不図示）等を備えた構成であるが、これらの構成に関しては本実施の形態に直接関係しないため、説明を省略する。
【００３４】
図２は、本実施の形態の記録装置１０の内部構成の概略を示すブロック図である。
図２に示すように、本実施の形態の記録装置１０は、撮像手段２０１、効果付加手段２０２、符号化復号化手段２０３、撮像画像記録再生手段２０４、記憶媒体２０５、表示データ制御手段２０６、表示手段２０７、撮影効果シーケンス情報記憶手段２０８、処理制御手段２０９、時計２１０、及び操作手段２１１等により構成されている。
【００３５】
撮像手段２０１は、フォーカスレンズ及びフォーカスレンズ駆動モータ（以上、不図示）を一体化したレンズユニット１０３と、前記レンズユニット１０３により入力された光学情報から映像信号を生成する受像素子とから成り、前記受像素子で生成された映像信号に基づいて被写体の撮影画像を生成する。
【００３６】
効果付加手段２０２は、前記撮像手段２０１により生成された撮影画像に対して、タイトル等の文字列情報を付加したり、色調を変更したりして撮影効果を付加する。また、フェイドイン処理及びフェイドアウト処理や、静止画像と撮影画像とをミックスするクロマキー及びルミキー等の画像処理を行っている。
【００３７】
符号化復号化手段２０３は、前記撮像手段２０１により撮影された撮影画像、及び前記効果付加手段２０２により撮影効果が付加された撮影画像に対して符号化データの生成を行う。また、符号化復号化手段２０３は、記憶媒体２０５に記憶されている符号化データを読み出して、画像情報に復号化することも行う。
【００３８】
撮像画像記録再生手段２０４は、前記符号化復号化手段２０３により生成された符号化データを記憶媒体２０５へ記録すること、及び記憶媒体２０５に記録されている符号化データを読み出して、符号化復号化手段２０３へ送信するようにしている。
【００３９】
表示データ制御手段２０６は、所定の表示データを作成して、これを表示手段２０７に表示するための制御を行う。例えば、符号化復号化手段２０３により生成された画像情報や、撮像手段２０１及び効果付加手段２０２より出力された撮影画像から表示データを作成したり、各種情報を撮影者に伝達するためのアイコンまたは時計の時刻情報と撮影画像とを合成した表示データを作成したりする。
【００４０】
表示手段２０７は、例えば、ＬＣＤユニット１１１及びビューファインダ１０５等により構成されており、前記表示データ制御手段２０６により作成された表示データをＬＣＤユニット１１１及びビューファインダ１０５の画面に表示する。
【００４１】
操作部２１１は、十字ボタン１１２、ＯＫボタン１１３、及びキャンセルボタン１１４より構成されており、撮影効果シーケンスの編集をしたり、撮影効果シーケンス実行時において撮影者が撮影効果を付加しようとするタイミングを決定したりするときに使用される。
【００４２】
撮影効果シーケンス情報記憶手段２０８には、撮影者が前記操作部２１１を利用して作成した撮影効果シーケンス自体が記憶されるとともに、撮影効果シーケンス実行時のマーカの記録が行われる。
時計２１０は、撮影効果シーケンスに設定された任意の撮影効果を付加した時点から次の撮影効果を付加するまでの経過時間の計測や、撮影効果シーケンスの開始からの総経過時間等を計測するために使用される。
【００４３】
処理制御手段２０９は、撮影効果シーケンスの編集時に表示データ制御手段２０６を制御して、表示データの内容を操作部２１１のユーザ操作に応じて変更してＬＣＤユニット１１１等に表示する。
【００４４】
また、処理制御手段２０９は、操作部２１１を利用して、ユーザが作成した撮影効果シーケンス自体を撮影効果シーケンス情報記憶手段２０８に記録したり、撮影効果シーケンス実行時のマーカの記録を行ったりする処理の制御を司る。
【００４５】
さらに、処理制御手段２０９は、時計２１０を参照するように制御して経過時間を計測したり、撮影効果シーケンスに記述されている撮影効果に対応するアイコン等の表示を行うことを表示データ制御手段２０６に依頼したり、或いは前記経過時間や撮影効果の付加状況に応じてマーキング情報が付加された撮影効果シーケンスを撮影効果シーケンス情報記憶手段２０８に記憶したりする。
【００４６】
次に、撮影効果シーケンスを構成するために必要な情報と、その撮影効果シーケンスを編集するための操作方法とについて、編集画面の一例を示しながら説明する。
図３は、撮影効果シーケンスの内容を表したイメージ図の例である。図３において、第１列目の項目３０１、３０６、３１１は、撮影効果を付加する順番であるＮｏを示している。
【００４７】
第２列目の項目３０２、３０７、３１２は、付加する撮影効果の種類を示している。第３列目の項目３０３、３０８、３１３は、第２列目に示す撮影効果を付加するタイミング情報であり、直前の撮影効果の付加時点からどの程度の間隔を空けて次の撮影効果を付加するのかを示している。第４列目の項目３０４、３０９、３１４は、撮影する画像に対して第２列目に示す撮影効果をどの程度の時間継続して付加するかを示す情報である。
【００４８】
第５列目の項目３０５、３１０、３１５は、各撮影効果に応じて必要になる固有の情報である。この固有の情報とは、例えば、撮影効果の種類がクロマキー３０７であれば静止画像の青い部分を透過させて撮影画像と重ね合わせることから、図３における第５列目に示したkusudama.jpg３１０のように、その重ね合わせる静止画象を指定しておく必要がある。そこで、第５列目の項目に静止画象の情報を固有の情報として設定しておくようにする。
【００４９】
すなわち、本実施の形態において撮影効果シーケンスに記述される情報は、以下のように、
１．付加する撮影効果の種類、
２．前回の撮影効果の付加時点からの相対時間、
３．本撮影効果を付加する継続時間、
４．撮影効果毎に必要な設定情報、
の４つの情報が一まとまりとなっている。撮影効果シーケンスは、このまとまりの情報が、付加する撮影効果の順に記述されているか、撮影効果を付加する順番を記してある。
【００５０】
図４は、本実施の形態において撮影効果シーケンスを作成するための画面例を示す図である。撮影者は、図１に示した十字キー１１２、ＯＫボタン１１３、及びＣＡＮＣＥＬボタン１１４を用いて、図４に示す撮影効果シーケンスを作成する画面の操作を行う。
【００５１】
具体的に説明すると、図４に示すように、撮影効果シーケンスの作成画面は上下が３段に大きく分割されて構成されている。最上段４０１には、本実施の形態の記録装置１０によって撮影画像に付加することが可能な撮影効果の内容を示すアイコン４０２、４０３、４０４を表示している。
【００５２】
本実施の形態では、第２列目の第２の項目３０２に設定されている撮影効果の「フェイドイン」をアイコン４０２、第２列目の第４の項目３１２に設定されている「フェイドアウト」をアイコン４０３、第２列目の第３の項目３０７に設定されている撮影効果の「クロマキー」をアイコン４０４により簡易表示している。
【００５３】
図４に示す撮影効果シーケンスの作成画面の第２段目４０６は、作成中の撮影効果シーケンスの内容を表示するためのエリアであり、アイコン４０７、４０８、４０９の位置に撮影効果が表示される。
【００５４】
図４に示す撮影効果シーケンスの作成画面の第３段目は、撮影効果を付加するタイミングを表示するエリアである。すなわち、第３段目における相対時間に関する分数４１２及び秒数４１３は、直前に付加した撮影効果からどの程度の時間が経過した後に、今度の撮影効果を付加しようとするのかを相対時間として入力する部分である。また、継続時間の分数４１４及び秒数４１５は、第２段目４０６で指定した各撮影効果の継続時間を入力する部分である。
【００５５】
次に、撮影効果を付加する手順を具体的に説明する。図５は、撮影効果を付加する動作手順の一例を示すフローチャートである。図５に示すように、まず、ステップＳ５０１で、付加したい第１の撮影効果を選択する。このとき、何れの撮影効果を選択しているのかが分かるようにするため、選択されたアイコンにはフォーカス４０５が表示されるようにしている。
【００５６】
例えば、図４に示した撮影効果シーケンスの作成画面の最上段４０１に表示されているアイコンのうち、アイコン４０２にフォーカス４０５があるとすると、撮影者が前記十字キー１１２の左部または右部を押下すると、それに伴い、アイコン４０３等にフォーカス４０５が左右に移動していく。
【００５７】
なお、本実施の形態では、最上段４０１には３つのアイコンしか表示されないが、現在表示されているアイコン４０２〜アイコン４０４以外のアイコンにフォーカス４０５を移動させる場合には、十字キー１１２の右部または左部を押下し続ければよい。これにより、例えば、右部を押下するとフォーカス４０５が右端に順次スクロール移動して、アイコン４０４のさらに右端に隠れて非表示であったアイコンを選択できるようになっている。また、左部を押下していくと、アイコン４０２よりも左端のアイコンを選択することができる。
【００５８】
次に、付加したい撮影効果（アイコン４０２とする）にフォーカス４０５を移動させて選択した後、ステップＳ５０２で、選択したアイコン４０２を撮影効果シーケンスに登録させて良いか否かを決定するための判断を行う。前記判断の結果、良ければステップＳ５０３で、ＯＫボタン１１３を押下すると、選択した撮影効果（アイコン４０２が示す「フェイドイン」）が決定される。
【００５９】
なお、このときに選択したアイコン４０２を取り消して、別の撮影効果に変更しようとする場合には、ＣＡＮＣＥＬボタン１１４を押下する。この場合、フォーカス４０５が表示されているアイコン４０２の撮影効果「フェイドイン」の選択が取り消されてステップＳ５０１に戻り、アイコンを選択する操作から再びやり直すことになる。
【００６０】
ステップＳ５０３で付加したい撮影効果の種類が決定したら、次に、撮影効果シーケンスのどの手順に前記選択した撮影効果を挿入して実行させるかを決める。そこで、ステップＳ５０４で、十字キー１１２の下部を押下して、最上段４０１に存在していたフォーカス４０５を第２段目４０６の部分に移動させる。
【００６１】
まず始めは、撮影効果シーケンスとして何も設定されていないので、第２段目４０６に移動したフォーカス４０５は、当初中央のアイコン４０８に固定されている。撮影効果シーケンスを順次作成していき、アイコンの列が長くなってくると、前述したように十字キー１１２の左部または右部の押下に伴って、フォーカス４０５が左右に移動できるようになる。このように、ステップＳ５０５で、フォーカス４０５を移動させながら撮影効果を挿入する位置を選択する。
【００６２】
なお、現在表示されているアイコン４０７〜アイコン４０９以外のアイコンを表示する場合は、前記最上段４０１での操作と同様に、十字キー１１２の左部または右部の押下によって左端または右端にあるアイコンを順次スクロール表示することができる。
【００６３】
次に、ステップＳ５０６で、移動したフォーカス位置に撮影効果を挿入して良いか否かを判断する。判断の結果、そのフォーカス位置で良ければステップＳ５０７で、ＯＫボタン１１３を押下する。
【００６４】
これにより、フォーカス４０５が表示されているアイコンの示す位置に、ステップＳ５０３で決定した撮影効果が挿入されて、撮影効果シーケンスが作成されていく。この場合、ステップＳ５０３で決定した撮影効果のアイコンが、フォーカス４０５が表示されている場所に挿入されて表示される。
【００６５】
一方、前述した第２段目４０６での挿入位置の決定において、設定済みである撮影効果の途中に、ステップＳ５０３で決定した新たな撮影効果を追加して撮影効果シーケンスを作成したい場合には、各撮影効果のアイコン間に表示されている挿入バー４１０、４１１の位置に、フォーカス４０５を移動させてＯＫボタン１１３を押下する。
【００６６】
これにより、前記新たな撮影効果を示すアイコンが設定済みの撮影効果のアイコン間に挿入されて、その結果、挿入位置以降のアイコンが一つずつ後ろにシフトされていく。
【００６７】
さらに、既に設定済みの撮影効果と前記新たな撮影効果とを入れ換えたい場合は、入れ換えられる撮影効果にフォーカス４０５を移動させた状態でＯＫボタン１１４を押下する。これにより、設定されていた撮影効果のアイコンが新たな撮影効果のアイコンに変更される。
【００６８】
さらに、ステップＳ５０８で、十字キー１１２の下部を押下すると、相対時間の分数４１２にフォーカス４０５が移動する。この状態で十字キー１１２の右部を押下していくと表示される数字が大きくなり、これと反対に左部を押下していくと表示される数字が小さくなる。
【００６９】
そこで、ステップＳ５０９で、設定したい分数の値になるまで十字キー１１２の左部または右部を押下した後に、ＯＫボタン１１３を押下すると、次に、相対時間の秒数４１３にフォーカス４０５が移動する。ここでも前述した分数の設定と同様に、十字キー１１２の左ボタンまたは右ボタン、及びＯＫボタン１１３の押下によって所望の秒数の値を設定する。
【００７０】
同様にして、ＯＫボタン１１３を押下するたびに、継続時間の分数４１４、継続時間の秒数４１５へとフォーカス４０５が順次移動していき、同様の操作によって所望する値の設定を行う。
【００７１】
次に、撮影効果によってさらに詳細な情報の設定が必要な場合には、ステップＳ５１１のその設定を行う画面へと遷移する。例えば、静止画像における青い部分を透過させて、これと撮影画像とを重ね合わせて撮影効果を持たせるクロマキー４０４を撮影効果の種類として選択していた場合は、最後の継続時間の秒数４１５を設定した後、ＯＫボタン１１３を押下すると、重ね合わせの画像を選択するために図６に示すような選択画面に遷移する。
【００７２】
図６は静止画像サムネイル画面の一例を示した図である。
図６に示すような静止画像サムネイル画面において、撮影者は十字キー１１２の上下左右部を押下しながら所望の位置にフォーカス４０５を移動させて、ＯＫボタン１１３を押下してサムネイル画面を決定する。
【００７３】
そして、前記サムネイル画面の決定が終了したら、次に、更なる撮影効果シーケンスを設定するために、図４に示した最上段４０１のアイコンの選択画面に遷移して（ステップＳ５０１）、次の撮影効果の選択を行っていく。
ここで、継続時間の秒数４１５を設定後に、その他の設定が必要でない撮影効果を選択していれば、次の撮影効果の選択へと移行し、撮影効果シーケンスを完成させするまで図５に示す動作手順を繰り返す。
【００７４】
前述した動作手順で作成した撮影効果シーケンスは、撮影効果シーケンス情報記憶手段２０８に記録される。このとき、静止画像の画像データも前記撮影効果シーケンス記憶手段２０８に記録してもよいが、記憶媒体２０５に記憶しておいて、撮影効果シーケンスの実行時において静止画像の画像データが必要になった際に、記憶媒体２０５から該当する画像データを読み出すようにしてもよい。
【００７５】
なお、撮影効果シーケンスは、所定のフォーマットに基づいて所定の情報で記述されていれば、本記録装置１０以外の編集装置で作成されるように構成してもよい。また、複数の撮影効果シーケンスがある場合には、所望の撮影効果シーケンスを選択できるようにしてもよい。
【００７６】
次に、この様に設定した撮影効果シーケンスを利用した撮影手順について説明する。図７（ａ）は、撮影時に図３に示した撮影効果シーケンスの内容を実行した場合の画面例である。図７（ａ）において、７０１はＬＣＤユニット１１１の表示画面であり、表示領域７０２には撮影中の画像を表示している。アイコン７０４は撮影効果のクロマキーを表すアイコンであり、アイコン７０５はフェイドインを表すアイコンである。
【００７７】
図３に示した撮影効果シーケンスは、先ず、撮影開始と同時にフェイドインの撮影効果を２秒間かけて付加して、その直後に静止画像kusudama.jpgを用いて撮影画像に重ねるクロマキー処理を２秒間かけて行う。次に、５分間の通常撮影を行った後で、２秒間かけてフェイドアウトの撮影効果を行うものである。
【００７８】
なお、図４における第３段目に示した相対時間の分数４１２及び相対時間の秒数４１３は、最初に実行する撮影効果に限り、撮影開始からの経過時間として解釈する。このため、図３に示した撮影効果シーケンスの例でみれば、撮影開始直後（０秒後）にフェイドインの撮影効果が実行されるという意味になる。
【００７９】
このときの撮影者の操作及び画面表示の変更について詳細に説明する。
まず、撮影者が操作部２１１を用いてモードダイアル１０７を撮影効果シーケンス記録モードに設定すると、処理制御手段２０９は撮影効果シーケンス情報記憶手段２０８に記憶されている図３に示したような撮影効果シーケンスを解釈し始める。
【００８０】
図３に示した撮影効果シーケンスでは、最初の撮影効果がフェイドイン３０２、第２番目の撮影効果がクロマキー３０７なので、表示データ制御手段２０６は表示データを変更して、図７（ａ）に示すようにフェイドインを表すアイコン７０５とクロマキーを表すアイコン７０４とを表示する。
【００８１】
最初の撮影効果であるフェイドイン３０２は撮影開始直後（０秒後）に開始するので、この時点から、フェイドインアイコン７０５を点滅させるようにしておく。次に、スタート／ストップボタン１０８を押下すると、撮影が開始される。
【００８２】
撮影が始まると、最初の撮影効果である、図３における第２列目の第２の項目３０２に設定されている「フェイドイン」効果は、前述したように第３列目の第２の項目３０３に設定されている相対時間が「０秒」であるため、撮影開始０秒後からフェイドイン効果が付加されることとなる。しかし、撮影効果を付加する実行はあくまで撮影者の意思を最優先とするようにしているため、ＯＫボタン１１３が実際に押下されるのを待つようにしている。
【００８３】
そして、ＯＫボタン１１３が押下されると、効果付加手段２０２は、撮影効果のフェイドイン効果を付加する。このとき、図７（ｂ）に示すように、撮影効果シーケンス実行中のフェイドインを表示したアイコン７１５は大きなサイズのアイコンで表示される。
【００８４】
そして、２秒経過して撮影効果のフェイドイン効果の付加が終了すると、図７（ｃ）に示すように、図７（ａ）及び図７（ｂ）で示していた撮影効果のフェイドインアイコン７２５及び撮影効果のクロマキーアイコン７２４を一つずつ下にスライドさせて、次の撮影効果であるフェイドアウトアイコン７２３を新たに追加して表示する。
【００８５】
このとき、図３で示したように、クロマキーの撮影効果は、第３列目の第３の項目３０８に設定されている相対時間が「０秒後」であるため、クロマキーのアイコン７２４をこの時点で点滅させておいて、撮影者によるＯＫボタン１１３の押下を待つようにする。
【００８６】
そして、ＯＫボタン１１３が押下されたら、効果付加手段２０２は、第５列目の第３の項目３１０に設定されている静止画像「kusudama.jpg」を用いたクロマキー処理を、第４列目の第３の項目３０９に設定されている「２秒間」行う。このとき、前述した第２列目の第２の項目３０２に設定されている撮影効果の「フェイドイン」を付加したときと同様、図７（ｄ）に示すように、撮影効果シーケンスにおいて現在実行中であることを示すクロマキーアイコン７３４の表示が拡大されて表示される。
【００８７】
第２列目の第３の項目３０７に設定されている撮影効果の「クロマキー」の付加が終了したら、図７（ｄ）に示すように、先ほど同様に、フェイドイン及びクロマキーのアイコン７３５、７３４をそれぞれ下にスライドさせ、フェイドアウトのアイコン７３３が上段の位置に表示されるようにする。
そして、このまま通常の撮影を続けて、第２列目の第３の項目３０７に設定されている「クロマキー」の撮影効果を付加した後、約４分５０秒が経過したら、フェイドアウトのアイコン７３３を点滅させる。
【００８８】
これは、図３で示したように、第２列目の第４の項目３１２に設定されている「フェイドアウト」効果の開始時点は、前記「クロマキー」３０７の付加開始から第３列目の第３の項目３１３に設定されている「５分後」であることから、約４分５０秒が経過後に前記「フェイドアウト」のアイコン７３３を点滅させることで、撮影効果シーケンスに設定してある次の撮影効果を付加するタイミングが迫ってきていることを撮影者に通知している。
【００８９】
このような通知がなされることにより、通常、撮影者は撮影時において撮影効果付加のタイミングを自分自身で特に意識する必要が無くなり、撮影に集中することができるようになる。
【００９０】
次に、ＯＫボタン１１３が押下されたら、効果付加手段２０２によって撮影効果として「フェイドアウト」効果が付加される。以後、撮影効果シーケンスに記述された一連の手順に沿って、撮影効果を付加するための操作を同じように繰り返す。
【００９１】
また、撮影効果を付加するタイミングは撮影者によるＯＫボタンの押下によって最終的に決定されるので、例えば、予め設定しておいた前記相対時間をさらに経過した後に付加することや、設定タイミングがくる前に撮影効果を付加するようにすることも可能である。このため、何らかの理由により、撮影効果シーケンスに設定しておいたタイミングと異なるタイミングで撮影効果を付加するような状況が発生した場合でも、実際の撮影と同期をとってそのときの状況にあうように柔軟に対応することができる。
【００９２】
また、効果付加のタイミングを直前の撮影効果付加処理の終了からの相対時間で設定するようにしているので、撮影効果シーケンスに記述しているタイミングとずれが生じたとしても、それ以後の撮影効果付加のタイミングは予め設定しておいたまま実行することができる。
【００９３】
さらに、撮影効果シーケンスに記述されていたある撮影効果を付加せずに、次の撮影効果へスキップさせたい場合には、例えば、ＣＡＮＣＥＬボタン１１４または十字キー１１２の下部を押下すれば、その撮影効果を付加しないようにすることができる。また、前に付加した撮影効果を再度付加したい場合には、十字キー１１２の上部を押下することで撮影効果シーケンスの手順を戻すことができる。
【００９４】
なお、本実施の形態においては、図３における第３列目の第２または第３の項目３０３、３０８に設定されているように、相対時間が「０秒後」の時もその時点で撮影者がＯＫボタン１１３を押下するようにしたが、相対時間「０秒後」に限りこのＯＫボタン１１３を押下する操作を省略して撮影効果の付加を自動的に実行するようにしてもよい。
【００９５】
また、既に作成した撮影効果シーケンスを再利用しやすくするために、各撮影効果を付加する際のシチュエーションや効果付加の意図を、撮影効果ごとに所定の設定欄にコメント情報として記述するようにして、撮影効果シーケンスの編集時または撮影効果シーケンスの実行時に前記コメント情報を表示するようにしてもよい。なお、図示しないコメント情報記録手段により、前記コメント情報を撮影効果シーケンスに設定するようにしている。
【００９６】
（第２の実施の形態）
前述した第１の実施の形態においては、撮影効果シーケンス記録モードにおける撮影動作の記録中に、撮影者がスタート／ストップボタン１０８を押下してその撮影を中断することもできるように構成した。
なお、本実施の形態の記録装置の構成は、前述した第１の実施の形態における記録装置１０と同様に構成されているものであるため、装置構成の詳細は省略し、各構成部の符号をそのまま引用して用いることとする。
【００９７】
本実施の形態の記録装置は、スタート／ストップボタン１０８が押下されて撮影が中断される際に、撮影効果を付加する順番を表した番号（例えば、図３に示した第１列目の項目３０１、３０６、３１１）を図示しない実行位置情報記録手段により撮影効果シーケンス情報記憶手段２０８に記録しておくようにする。これにより、撮影効果シーケンスの作成を一時中断することができるとともに、その中断時点より再作成できるようにしている。
【００９８】
なお、処理制御手段２０９により前記実行位置情報記録手段の動作を制御して、撮影効果を付加する順番を表した番号を撮影効果シーケンス情報記憶手段２０８に記録するようにしている。
【００９９】
そして、次に、スタート／ストップボタン１０８をユーザが押下した際に、前記撮影効果シーケンス情報記憶手段２０８に記憶されている撮影効果の番号等を参照することで、その撮影効果の番号から撮影効果シーケンスを再開するようにし、撮影中断を挟んだ長時間の撮影効果シーケンスの記録を行うようにすることもできる。
【０１００】
その際、撮影効果を付加するタイミングの判断基準となる実際の相対時間は、記録が中断されている間も計測しておくことが望ましい。さらに、撮影記録が中断している間に、次の撮影効果を付加するタイミングが近づいてきた場合には、例えば、記録装置２０のＬＥＤ１１５を点滅させるようにする。これにより、次のタイミングが近づいてきたことを撮影者に知らせることが可能となり、撮影者は余裕をもってその準備を行うことができる。
【０１０１】
（第３の実施の形態）
以下、本発明の記録再生編集装置の実施の形態を紹介する。本実施の形態の記録再生編集装置の概観構成は、図１を参照しながら記録装置の外観構成と同様であるので、詳細な説明を省略する。
【０１０２】
図８は、本実施の形態の記録再生編集装置の概略構成を示すブロック図である。なお、本実施の形態に直接関係しない他の構成部分、例えば絞り、シャッタ、測距システム等は図示を省略したが、これらは実際には設けられているものとする。
【０１０３】
撮像手段１０１０は、フォーカスレンズ及びフォーカスレンズ駆動モータを一体化したレンズユニット１０３と、前記レンズユニット１０３の光学情報から映像信号を生成する受像素子とから成り、前記映像信号から撮影画像を生成する。符号化復号化手段１０２は、撮影手段１０１０で撮影した撮影画像の符号化データの生成と、すでに符号化され記憶媒体１０５に記録されている符号化データから再生画像への復号を行う。
【０１０４】
撮影画像記録再生手段１０４０は、前記符号化復号化手段１０２０で生成する前記符号化データの記憶媒体１０５０への記録と、前記記憶媒体１０５０に記録済みの符号化データを読み出して前記符号化復号化手段１０２０へ送る役割を果たす。表示データ生成手段１０３は、符号化復号化手段１０２０で生成した再生画像や、撮像手段１０１０からの撮影画像から表示データを作成するとともに、各種情報を伝えるためのアイコンや時計の情報を画像に合成した表示データを作成し、表示手段１０７０に表示するための制御を行う。
【０１０５】
また、前記撮像手段１０１０で生成した撮影画像や前記符号化復号化手段１０２０で生成した再生画像に対して、タイトル（文字列情報）付加や色調変更、またフェイドインやフェイドアウトや静止画像と撮影画像をミックスするクロマキーやルミキー等の画像処理を行った表示データを作成し、表示手段１０７０に表示するための制御を行う。
【０１０６】
表示手段１０７０は、例えばLCD１１１やEVF１０５であり、前記表示データ生成手段１０３０で作成した前記表示データを画面に表示する。操作手段１０６０は、十字ボタン１１２とＯＫボタン１１３とCANCELボタン１１４であり、ユーザが、付加効果シーケンスの作成や再生効果シーケンスの編集、または付加効果シーケンス実行時における効果付加のタイミングの決定に使用する。
【０１０７】
効果シーケンス情報記憶手段１０８０は、操作手段１０６０を利用して、ユーザが作成した付加効果シーケンス自体の記録や、付加効果シーケンス実行時の実行位置情報を現すマーカの記録を行う。
【０１０８】
時計１１００は、付加効果シーケンスのある効果付加から次の効果付加までの時間の計測や、付加効果シーケンスや再生シーケンスの開始からの時間の計測に使用される。
【０１０９】
効果シーケンス処理手段１０９０では、付加効果シーケンスの編集時に操作手段１０６０の操作に応じて表示データ生成手段１０３０を操作して表示データを変更することや、作成した付加効果シーケンスを効果シーケンス情報記憶手段１０８０に記録したり、付加効果シーケンス実行時に、付加効果シーケンスの内容を解釈したり、ユーザ操作に応じて付加効果シーケンスに記述している付加効果の実行を判断して再生効果シーケンスを作成して記憶媒体１０５０へ記録したり、撮影画像や再生画像に効果を付加する指示を表示データ生成手段１０３０に対して行ったり、時計１１０を参照して経過時間を計測したり、付加効果シーケンスに記述されている効果のアイコン表示を表示データ生成手段１０３０に依頼したり、経過時間や効果付加状況に応じて付加効果シーケンスにマーキング情報を付加し、効果シーケンス情報記憶手段１０８０に記録したりする。
【０１１０】
なお、付加効果シーケンスは、所定の条件を含み決められたフォーマットで記述されていれば、外部の編集装置で作成した物でもなんら問題は無い。また、複数の付加効果シーケンスがある場合には、所望の付加効果シーケンスを選択できるようにしても良い。
続いて付加効果シーケンスの実行手順について、上述した図７、図１を参照しながら説明する。
【０１１１】
図７(a)は、図３の付加効果シーケンスを実行した場合の画面である。図７において、７０１はLCD画面１１１の表示面であり、表示領域７０２には撮影中の画像を表示している。７０４と７０５は、それぞれ効果クロマキーとフェイドインを表すアイコンである。
【０１１２】
図３の付加効果シーケンスは、撮影開始と同時にフェイドインの効果を２秒間かけて付加し、その直後に効果クロマキーをkusudama.jpgを重ねる画像として、２秒間かけて行う。次は、５分間通常撮影のあと、２秒間かけて効果フェイドアウトを行うものである。なお、付加効果シーケンスの相対時間（３列目）は、最初に実行する効果に限り、撮影開始からの経過時間として解釈する、よって図３の例で行くと、撮影開始後０秒後に効果フェイドイン実行するという意味である。このときの操作や、表示の変更について詳細に説明する。
【０１１３】
まず、操作手段１０６において、モードダイアル１０７が付加効果シーケンス記録モードに設定されたら、効果シーケンス情報記憶手段１０８０に記憶されている図３の付加効果シーケンスを、シーケンス処理手段１０９０にて解釈する。最初の効果がフェイドイン３０２、２番目の効果がクロマキー３０７なので、表示データ生成手段１０３０で表示データを変更し、フェイドインを表すアイコン７０５と、クロマキーを表すアイコン７０４を表示する。
【０１１４】
最初の効果フェイドイン３０２は撮影開始後０秒後に開始するので、この時点で、フェイドインアイコン７０５を点滅させておく。次に、スタート/ストップボタン１０８を押下すると、撮影を開始し、シーケンス処理手段１０９０にて再生効果シーケンスを新規作成し、効果シーケンス情報記憶手段１０８０に記憶されている、現在実行中の付加効果シーケンスと関連付ける。
【０１１５】
次に、撮影が始まると、最初の効果フェイドイン３０２は相対時間３０３が０秒となっているので、撮影開始０秒後からの付加となる。しかし、効果付加の実行はあくまで撮影者の意思を最優先とするため、OKボタン１１３が押下されるのを待つ。OKボタン１１３が押下されたら、シーケンス処理手段１０９０において、効果付加のタイミングとして撮影開始からの相対時間を時計１１００から取得し、再生効果シーケンスに効果フェイドインと効果付加のタイミングを記述する。
【０１１６】
さらに、表示データ生成手段１０３０にフェイドイン効果を撮影画像に付加するように指示し、かつ図７（ｂ）の付加効果シーケンス実行中の表示のアイコン７１５を大きなアイコンに変更する。
【０１１７】
効果フェイドイン付加が終了すると、図７(c)の効果シーケンス実行中の表示のように、効果フェイドイン７２５と、効果クロマキーのアイコン７２４を一つ下にスライドさせ、新たに次の効果フェイドアウト７２３を表示する。このとき、効果クロマキーの相対時間が０秒なので、クロマキーのアイコン７２４を点滅させてユーザのOKボタン１１３の押下を待つ。
【０１１８】
上記OKボタン１１３が押下されたら、シーケンス処理手段１０９０において再生効果シーケンスに効果クロマキーと時計１１００から取得した効果付加のタイミングを追加する。さらに、表示データ生成手段１０３０にクロマキー効果を撮影画像に２秒間付加するよう指示し、画像kusudama.jpgとのクロマキー処理３０９が２秒間行われる。
【０１１９】
このとき、上述の効果フェイドイン付加のときと同様に、図７(d)に示すように、付加効果シーケンス実行中の表示の効果クロマキーアイコン７３４のように拡大表示される。効果クロマキーの付加が終了したら、先ほどと同様に、アイコンをそれぞれ下にスライドさせ、効果フェイドアウトのアイコンが中段に来るようにする。
【０１２０】
このまま通常の撮影を続け、効果クロマキーの付加後、４分５０秒が経過したら、効果用フェイドアウトのアイコンを点滅させ、付加効果シーケンスに設定してある効果付加のタイミングが迫ってきている事をユーザに通知する。こうすることで、通常撮影時にはユーザは効果付加のタイミングを特に意識する必要な無くなり、撮影に集中することができる。以後、付加効果シーケンスに沿って同様の操作で処理が繰り返される。
【０１２１】
また、効果付加のタイミングはユーザのOKボタン１１３の押下なので、予め設定しておいた相対時間を過ぎて付加することや、まだ設定タイミングが来ないうちに効果を付加することも可能である。よって何らかの理由で効果付加のタイミングが変わった場合も柔軟に対応できる。また、効果を付加せず次の効果へスキップしたい場合は、十字キー１１２の下を押下すると良い。また、一つ前の効果をもう一度付加したい場合は、十字キー１１２の上ボタンを押下する事で付加効果シーケンスを一つ戻る事ができる。
【０１２２】
さらに、効果付加のタイミングに失敗した場合や、実際に撮影中の画像を確認して、付加する効果の種類を変更したくなった場合には、CANCELボタン１１４を押下すると、再生効果シーケンスの付加効果の先頭からの番号が再編集指定点として再生効果シーケンスに記述される。
【０１２３】
上述の手順を付加効果シーケンスが終わるまで続けた後、スタート/ストップボタン１０９を押下することで、再生効果シーケンスか完成し、記憶媒体１０５０に記憶される。このとき、再生効果シーケンスは効果シーケンス情報記憶手段１０８０に記憶するようにしても良い。
【０１２４】
上述の方法で作成された再生効果シーケンスの概念図を図９に示す。
再生効果シーケンスの内容は付加効果シーケンスとほぼ同等であり、一列目（９０１、９０６、９１１）は、効果を付加する順番である。二列目（９０２、９０７、９１２）は付加する効果の種類であり、三列目（９０３、９０８、９１３）は、該当効果を付加するタイミングであり、再生開始から効果付加までの実時間である。四列目（９０４、９０９、９１４）は、付加効果の継続時間であり、五列目（９０５、９１０、９１５）は付加効果の種類に応じて必要な個別の情報である。この個別の情報とは、例えば、静止画の青い部分を透過させて撮影画像と重ね合わせるクロマキーには重ね合わせる静止画の指定が必要なので、この静止画の指定を、この五列目の情報に組み込むようにしている。
【０１２５】
なお、本実施の形態の付加効果シーケンスに必要な情報と、付加効果シーケンスの編集画面の一例と、その操作方法は図３を参照しながら説明した記録装置と同様である。また、本実施の形態における前記付加効果シーケンスの作成画面例は、図４を参照しながら説明した記録装置における付加効果シーケンス作成画面における操作と同様である。
【０１２６】
次に、再生時の処理を説明する。
再生時には、図８のブロック図の記憶媒体１０５０に記憶されている画像データを撮像画像記録再生手段１０４０で読み出す。このときは、画像データを指定してもよく、また、再生効果シーケンスを指定してもよい。
【０１２７】
撮像画像記録再生手段１０４０で読み出された画像データは、符号化復号化手段１０２０において復号化され、表示データ生成手段１０３０へ送信される。また、撮像画像記録再生手段１０４０で画像データを読み出すと同時に、効果シーケンス処理手段１０９０が再生効果シーケンスを記憶媒体１０５０から読み出す。
【０１２８】
このとき、再生効果シーケンスが効果シーケンス情報記憶手段１０８０に記憶されている場合は、効果シーケンス情報記憶手段１０８０から読み出す。続いて、効果シーケンス処理手段１０９０において、再生効果シーケンスに記述されている内容から、付加する効果の順番、種類、タイミング、継続時間、追加情報を決定する。さらに、再生が始まった時間からの経過時間に応じて付加する効果を順に指定時間だけ付加するように、順次表示データ生成手段１０３０へ指示する。
【０１２９】
表示データ生成手段１０３０は、効果シーケンス処理手段１０９０からの指示に応じて符号化復号化手段１０２０から送信される画像データに効果を付加した画像データを生成することで、表示手段１０７０には再生シーケンスに記述されている効果が付加された画像が表示される。
【０１３０】
さらに、再生時に十字キー１１２の左右キーを押下することで、再編集指定された付加効果の場所にジャンプし、再生シーケンス編集画面を表示手段１０７０に表示する。このとき、再編集指定点は再生効果シーケンスの効果を付加する順番（図３の３０１、３０６、３１１）の番号として記憶されているので、記憶されている順番の実時間（３０３、３０８、３１３）を参照してジャンプする。ジャンプの先は、十字キー１１２の左を押すと、現在表示中の位置から時間的に前の、一番近い再編集指定点へジャンプする。また、十字キー１１２の右を押すと、現在表示中の位置から時間的に後の、一番近い再編集指定点へジャンプする。
【０１３１】
例えば、図３の付加効果シーケンスの付加順番２（３０６）を付加したときに、ユーザがCANCELボタン１１４を押下して再編集指定した記録画像を再生する場合、再生シーケンスを実行してから１分後、つまり再生効果番号２（３０６）と再生効果番号３（３１１）の間を再生中に、十字キー１１２の左を押下すると、図８に示す再生シーケンス編集画面を表示する。
【０１３２】
図１０の再生効果シーケンス編集画面における操作は、十字キー１１２と、ＯＫボタン１１３と、CANCELボタン１１４とで行う。
具体的に説明すると、図１０の再生効果シーケンス編集画面は３段に分割されており、最上段８０１は記録再生編集装置で付加することができる付加効果のアイコン（８０２、８０３、８０４）を表示してあり、２段目８０６は編集中の再生効果シーケンスの内容をアイコン（８０７、８０８、８０９）で表示する場所である。また、３段目は、再生効果を付加するタイミングとして再生開始からの経過時間（８１２、８１３）を入力する部分と、該当付加効果の継続時間（８１４、８１５）を入力する部分である。
【０１３３】
編集中の再生効果シーケンスは編集個所にフォーカス８０５があたっている。十字キー１１２の左右を押下することによって、フォーカス８０５を移動できる。表示しきれない分は、フォーカスを右端に移動させ更に十字キー１１２の右ボタンを押下することでスクロールできるようになっており、左側も同様である。
【０１３４】
ここでは、再生効果番号２（３０６）の効果クロマキー７０７を編集するので、フォーカス８０５は効果クロマキーのアイコン８０８にあたっている。付加効果を削除する場合は、CANCELボタン１１４を押下すると、効果クロマキーのアイコン８０５が削除され、再生効果番号（３）の効果フェイドインのアイコン８０９が左へスライドする。効果付加継続時間もしくは効果付加タイミングを変更する場合は、十字キー１１２の下を押下することで、効果付加時間の分数（８１２）にフォーカスが移動する。
【０１３５】
この状態で十字キーの右を押下すると分数が大きな数字となり、左を押下すると小さな数字となる。設定したい分数になるまで十字キー１１２の左右を押下した後、ＯＫボタン１１３を押下すると、次に、相対時間の秒数（８１３）にフォーカスが移る。
【０１３６】
ここでも、先ほどの分数の設定と同様に十字キー１１２の左右とＯＫボタン１１３の押下で秒数を設定する。その後は同様にＯＫボタンを押下するたびに継続時間の分数（８１４）、秒数（８１５）とフォーカスが移っていき、先ほどと同様の設定を行う。
【０１３７】
また、編集する付加効果に応じて、もしこれ以上の設定が必要なら、その設定を行う画面へと遷移する。例えば、静止画の青い部分を透過させて撮影画像と重ね合わせる効果クロマキー（８０４）を編集する場合は。最後の継続時間の秒数（８１５）でＯＫボタン１１３を押下後に、重ね合わせの画像選択のために図５の静止画サムネイル画面へ遷移する。
【０１３８】
静止画サムネイル画面ではフォーカスを十字キー１１２の上下左右を押下することで移動させ、ＯＫボタン１１３で決定する。以上の方法で記録時に、作成した再生シーケンスの再編集指定点を簡単に修正することが可能である。また、新たな効果を変更もしくは追加したい場合は、図４の付加効果シーケンスの作成画面と同じ手順で追加できる。
【０１３９】
なお、本実施の形態においては相対時間が０の場合もユーザが実行のタイミングでＯＫボタンを押下するようにしたが、相対時間０秒に限り効果の付加を自動実行してもよい。また、付加効果シーケンスを再利用しやすいように、各効果について、付加するシチュエーションや効果付加の意図を効果ごとの設定の欄にコメントとして記述するようにし、付加効果シーケンス編集時や、付加効果シーケンス実行時に表示するようにしてもよい。
【０１４０】
また、本実施の形態では付加効果シーケンスに効果付加のタイミングを記述することで付加効果のタイミングをユーザに知らしめる機能を実現したが、効果付加のタイミングを完全にユーザに任せるのであれば，付加効果シーケンスに効果付加のタイミングを含める必要は無い。
【０１４１】
なお、使用者の操作を操作手段１０６により受け付けると、複数の撮影効果をその直前の撮影効果からの相対時間の情報とともに記述した撮影効果シーケンスを記録しておき、前記記録された撮影効果シーケンスに応じて前記複数の撮影効果を順次表示手段１０７０上に視覚的に表示するとともに、前記操作手段１０６０により受け付けた使用者の操作に応じた撮影効果を撮像信号に対して付加する際に、前記操作手段１０６０における特定の操作毎に前記撮影効果シーケンスに記録されている撮影効果を順次付加しながら撮影を行うとともに、前記表示データ制御手段は前記撮影効果を付加する時間が近づくと前記表示手段１０７０上の表示内容を変更するようにしてもよい。
【０１４２】
（第４の実施の形態）
なお、前述の実施の形態において、付加効果シーケンス記録モードで記録中に、ユーザがスタート/ストップボタン１０８を押下すことで撮影を中断する場合に、次に、実行する効果の番号（例えば図３の３０１、３０６、３１１）を効果シーケンス情報記憶手段１０８に記憶しておき、次に、ユーザがスタート/ストップボタン１０８を押下した際に、付加効果シーケンス情報記憶手段１０８に記憶しておいた効果の番号から付加効果シーケンスを再開するとともに、該当する付加効果シーケンスと関連付けられている再生効果シーケンスの最後尾から付加効果を追記していくことで、撮影中断を挟んだ長時間の付加効果シーケンス記録を実現してもよい。
【０１４３】
その際に、効果を付加するタイミングである相対時間は、記録中断中も計測しておくことが望ましい。さらに、撮影記録中断中に、次なる効果付加のタイミングが近づいてきたら記録再生編集装置２０１のLED２１５を点滅させることで、効果付加のタイミングをユーザに通知するようにしてもよい。
【０１４４】
（本発明の他の実施の形態）
前述した実施の形態の機能を実現するべく各種のデバイスを動作させるように、前記各種デバイスと接続された装置あるいはシステム内のコンピュータに対し、前記実施の形態の機能を実現するためのソフトウェアのプログラムコードを供給し、そのシステムあるいは装置のコンピュータ（ＣＰＵあるいはＭＰＵ）に格納されたプログラムに従って前記各種デバイスを動作させることによって実施したものも、本発明の範疇に含まれる。
【０１４５】
また、この場合、前記ソフトウェアのプログラムコード自体が前述した実施の形態の機能を実現することになり、そのプログラムコード自体、およびそのプログラムコードをコンピュータに供給するための手段、例えば、かかるプログラムコードを格納した記録媒体は本発明を構成する。かかるプログラムコードを記録する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【０１４６】
また、コンピュータが供給されたプログラムコードを実行することにより、前述の実施の形態の機能が実現されるだけでなく、そのプログラムコードがコンピュータにおいて稼働しているＯＳ（オペレーティングシステム）あるいは他のアプリケーションソフト等と共同して前述の実施の形態の機能が実現される場合にもかかるプログラムコードは本発明の実施の形態に含まれる。
【０１４７】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって前述した実施の形態の機能が実現される場合にも本発明に含まれる。
【図面の簡単な説明】
【０１４８】
【図１】本発明の記録装置の外観を示す図である。
【図２】本発明の記録装置における内部構成の概略を示すブロック図である。
【図３】撮影効果シーケンスの内容の一例を示した図である。
【図４】撮影効果シーケンスを作成する画面の一例を示した図である。
【図５】撮影効果を付加する動作手順の一例を示すフローチャートである。
【図６】静止画像のサムネイル画面の一例を示した図である。
【図７】撮影効果シーケンスを実行中の画面の表示例を示した図である。
【図８】記録再生編集装置の要部の機能構成を示すブロック図である。
【図９】再生効果シーケンスの一例を示す概念図である。
【図１０】記録再生編集装置における再生効果シーケンス編集画面例を示す図である。
【符号の説明】
【０１４９】
２０１  撮像手段
２０２  効果付加手段
２０３  符号化復号化手段
２０４  撮像画像記録再生手段
２０５  記憶媒体
２０６  表示データ制御手段
２０７  表示手段
２０８  撮影効果シーケンス情報記憶手段
２０９  処理制御手段
２１０  時計
２１１  操作手段
１０１０  撮像手段
１０２０  符号化復号化手段
１０３０  表示データ生成手段
１０４０  撮像画像記録再生手段
１０５０  記憶媒体
１０６０  操作手段
１０７０  表示手段
１０８０  効果シーケンス情報記憶手段
１０９０  シーケンス処理手段
１１００  時計
【図１】
2004336728.tif 000003
【図２】
2004336728.tif 000004
【図３】
2004336728.tif 000005
【図４】
2004336728.tif 000006
【図５】
2004336728.tif 000007
【図６】
2004336728.tif 000008
【図７】
2004336728.tif 000009
【図８】
2004336728.tif 000010
【図９】
2004336728.tif 000011
【図１０】
2004336728.tif 000012